(57)【要約】 【課題】シャーシに接続されたケーブルの余長部分を容易に吸収して、他のシャーシの引き出しの障害となることを防止し、機器のメンテナンス作業を効率的に行うことができ、キャビネット本体に対する複数のシャーシの収容効率を高めることができる電子機器収容キャビネットの提供を目的とする。【解決手段】電子機器が搭載される複数のシャーシ２を重なった状態で収容するキャビネット本体３と、このキャビネット本体３に対してシャーシ２を前後方向に引き出し可能に支持するスライドレール４と、シャーシ２の引き出し方向と交差しない位置でキャビネット本体３に移動自在に設けられて、シャーシ２内の電子機器に接続されたケーブルＣをまとめて保持するケーブルクランプ１０と、を具備することを特徴とする。【選択図】  図１
2013145804.tif 000002
【特許請求の範囲】
【請求項１】
電子機器が搭載される複数のシャーシを重なった状態で収容するキャビネット本体と、
このキャビネット本体に対して前記シャーシを前後方向に引き出し可能に支持するスライドレールと、
前記シャーシの引き出し方向と交差しない位置で前記キャビネット本体に移動自在に設けられて、前記シャーシ内の電子機器に接続されたケーブルをまとめて保持するケーブルクランプと、を具備することを特徴とする電子機器収容キャビネット。
【請求項２】
前記シャーシは、前記キャビネット本体に対して上下に重なるように収容され、
前記ケーブルクランプは、前記キャビネット本体の側部に配置された支持レールにより前記ケーブルを上下方向移動自在に支持することを特徴とする請求項１に記載の電子機器収容キャビネット。
【請求項３】
前記ケーブルクランプは付勢手段によって前記シャーシから離れる方向に付勢されていることを特徴とする請求項２に記載の電子機器収容キャビネット。
【請求項４】
前記ケーブルクランプは、前記ケーブルを内部に収容するケーシングと、該ケーシング内に設けられて内部に位置する前記ケーブルを保持するクリップと、前記ケーシングに固定されて前記支持レールにスライド自在に設けられる支持ブロックと、を有することを特徴とする請求項１〜３のいずれか１項に記載の電子機器収容キャビネット。
【請求項５】
前記ケーブルクランプは、前記支持レールにスライド自在に設けられる支持ブロックと、前記ケーブルを内部に収容するケーシングを複数有するクランプ部材とからなり、
該クランプ部材の各ケーシングは、係止部を介して支持ブロックに一体に結合され、かつ該係止部を外すことでそれぞれが該支持ブロックから取り外されることを特徴とする請求項１〜３のいずれか１項に記載の電子機器収容キャビネット。
【発明の詳細な説明】
【技術分野】
【０００１】
本発明は、通信機器などの電子機器を収容するためのシャーシを有する電子機器収容キャビネットに係り、シャーシ内の電子機器に接続されるケーブルの余長部分を効率良くまとめることができる技術に関する。
【背景技術】
【０００２】
一般に、電子機器が搭載されるシャーシを複数収容する電子機器収容キャビネットが用いられている。
この電子機器収容キャビネットは、電子機器が搭載される複数のシャーシを重なった状態で収容するキャビネット本体を主な構成要素としている。
【０００３】
例えば、特許文献１に示される無線装置用キャビネットでは、枠梁（キャビネット本体）に固着金具を介して、電子機器が内部に収容されたユニット（シャーシ）を重なった状態で複数個、設置可能とするものである。
【先行技術文献】
【特許文献】
【０００４】
【特許文献１】特開平５−５８５９８号公報
【発明の概要】
【発明が解決しようとする課題】
【０００５】
ところで、上記電子機器収容キャビネットでは、機器のメンテナンス時に、シャーシをキャビネット本体から引き出す必要があるために、該シャーシの引き出し長さに応じて、ケーブルに余長部分を設けておく必要がある。
このケーブルの余長部分は、邪魔にならないように束ねて結束バンドによりキャビネット本体に固定することがあり、シャーシを引き出す場合には、結束部を解くなどの余計な作業が必要となって、機器のメンテナンス作業が非効率なものなっていた。
また、ケーブルに余長部分を設けることで、該余長部分が大きく垂れ下がり、該キャビネット本体に複数のシャーシが収容されている場合に、その垂れ下がったケーブル余長部分が他のシャーシの引き出しの障害となり、これによっても機器のメンテナンス作業が非効率なものとなっていた。
また、ケーブルの余長部分が他のシャーシを引き出す際の移動経路に重ならないように、該シャーシの設置間隔を空けることも可能だが、このような構造ではキャビネット本体に対するシャーシの収容効率が悪くなるという問題もあった。
【０００６】
本発明は、上述した事情に鑑みてなされたものであって、シャーシに接続されたケーブルの余長部分を容易に吸収して、他のシャーシの引き出しの障害となることを防止して、機器のメンテナンス作業を効率的に行うことが可能であり、さらにはキャビネット本体に対する複数のシャーシの収容効率を高めることができる電子機器収容キャビネットの提供を目的とする。
【課題を解決するための手段】
【０００７】
上記課題を解決するために、この発明は以下の手段を提案している。すなわち、本発明の電子機器収容キャビネットは、電子機器が搭載される複数のシャーシを重なった状態で収容するキャビネット本体と、このキャビネット本体に対して前記シャーシを前後方向に引き出し可能に支持するスライドレールと、前記シャーシの引き出し方向と交差しない位置で前記キャビネット本体に移動自在に設けられて、前記シャーシ内の電子機器に接続されたケーブルをまとめて保持するケーブルクランプと、を具備することを特徴とする。
【発明の効果】
【０００８】
本発明によれば、シャーシの引き出し方向と交差しない位置にて、キャビネット本体に移動自在に設けられて、シャーシ内の電子機器に接続されたケーブルをまとめて保持するケーブルクランプが具備される構成であるので、キャビネト本体に対してケーブルクランプを移動させることで、シャーシに接続されたケーブルに余長部分が発生しないように調整することができる。その結果、該ケーブルが他のシャーシの引き出しの障害となることを防止でき、機器のメンテナンス作業を効率的に行うことができ、さらにはキャビネット本体に対するシャーシの収容効率を高めることが可能となる。
また、キャビネット本体からシャーシを引き出す場合には、該シャーシにケーブルクランプを近接させることで、該シャーシに接続されたケーブルを弛ませる（余長を発生させる）ことができ、該シャーシの引き出しを支障なく行うことができる。すなわち、本発明の電子機器収容キャビネットでは、キャビネト本体に対してケーブルクランプを自在に移動させることにより、該ケーブルクランプに把持されたケーブルが接続されたシャーシ、又は他のシャーシの引き出しを支障なく行うことが可能となる。
【図面の簡単な説明】
【０００９】
【図１】本発明の第１実施形態を示す概略構成図である。
【図２】図１の下側のケーブルクランプ１０を若干下方に移動させた状態を示す図である。
【図３】図２からシャーシ２を引き出した状態を示す図である。
【図４】図１〜図３に示されるケーブルクランプ１０を説明するための図であって、（Ａ）はケーブルクランプ１０の全体を示す斜視図、（Ｂ）は（Ａ）のＢ−Ｂ線に沿って切断した断面図、（Ｃ）は（Ｂ）から扉を開けた状態を示す断面図である。
【図５】本発明の第２実施形態を示す概略構成図である。
【図６】本発明の第３実施形態を示す概略構成図であって、（Ａ）はケーブルクランプ３０の断面図、（Ｂ）はケーブルクランプ３０のクランプ部材３１を分解した状態を示す斜視図である。
【発明を実施するための形態】
【００１０】
［実施形態１］
本発明の第１実施形態について、図１〜図４を参照して説明する。
図１は本発明が適用される電子機器収容キャビネット１であって、電子機器（図示略）が搭載される複数のシャーシ２を重なった状態で収容するキャビネット本体３と、該キャビネット本体３に対して各シャーシ２を前後方向（矢印ａ-ｂ方向）に引き出し可能に支持するスライドレール４と、を主な構成要素とする。
なお、本実施形態では、キャビネット本体３に２つのシャーシ２が上下に重なるように設置され、それぞれがスライドレール４によってキャビネット本体３から前後方向（矢印ａ-ｂ方向）に引き出し可能になっている。
【００１１】
シャーシ２の前側には、電子機器にコネクタ５を介して接続されるケーブルＣが複数本（本例では４本）、引き廻されている。
これらケーブルＣはケーブルクランプ１０により一まとめに保持されている。該ケーブルクランプ１０は、キャビネット本体３の側部に垂直（矢印ｃ−ｄ方向）に配置された支持レール１１に沿ってスライド自在とされており、図１〜図３に示されるように、ケーブルＣを上下方向移動自在に支持する。
支持レール１１は、シャーシ２の引き出し方向（矢印ａ-ｂ方向）と交差しない位置でキャビネット本体３に垂直（矢印ｃ−ｄ方向）に設けられたものであって、ケーブルクランプ１０の凹状部１０Ａに嵌合される凸状部１１Ａ（後述する）を前部に有する形状とされる。
【００１２】
また、ケーブルクランプ１０は、図４に示されるようにケーブルＣを内部に収容するクランプケーシング１２と、該クランプケーシング１２の扉（後述する）の内側に設けられて内部空間に位置するケーブルＣを該クランプケーシング１２の内壁に押し付けるクリップ１３と、該クランプケーシング１２の後部に固定されて支持レール１１の凸状部１１Ａに嵌合される凹状部１０Ａを有する支持ブロック１４と、を具備している。
【００１３】
ここで、ケーブルクランプ１０の凹状部１０Ａは、支持レール１１の凸状部１１Ａに一定の摩擦で摺動自在に嵌合されており、これによって該ケーブルクランプ１０が支持レール１１に対して矢印ｃ−ｄ方向にスライド自在かつ所定の高さ位置で保持できるようになっている。
また、クリップ１３は弾性を有するばね部材で形成されており、図４（Ｂ）で示すように、その押付け面１３Ａが矢印ｂ方向に付勢されることで、ケーブルＣをクランプケーシング１２の内壁面との間に保持する。
また、クランプケーシング１２の前部は、図４（Ｂ）及び図４（Ｃ）に示すように、垂直軸１２Ａを中心として開閉する扉１２Ｂとなっており、該扉１２Ｂを開閉することで、該クランプケーシング１２内にケーブルＣが出し入れされる。また、扉１２の先端部は係止片１２Ｃが形成されており、該係止片１２Ｃが、固定側の段部１２Ｄと係合されることで、扉１２Ｂが閉じた状態となり、クランプケーシング１２の内部空間にクリップ１３を介してケーブルＣが固定保持される。
【００１４】
そして、以上のような構成の電子機器収容キャビネット１では、支持レール１１に対するケーブルクランプ１０の高さ位置（矢印ｃ−ｄ方向への高さ位置）を適宜調整することで、該ケーブルＣに余長部分が発生することを防止できる。
また、キャビネット本体３からキャビネット２を矢印ａ方向に引き出そうとした場合には、図１〜図２に示すようにケーブルクランプ１０をキャビネット２に近づける（本例では、ケーブルクランプ１０を矢印ｄ方向にスライドさせる）ことで、ケーブルＣを弛ませて余長部分（符号ＣＡで示す）を発生させるようにする。これによってケーブルＣに衝突することなく、キャビネット本体３からキャビネット２を支障なく引き出すことができる。
【００１５】
以上詳細に説明したように第１実施形態に示される電子機器収容キャビネット１では、シャーシ２の引き出し方向（矢印ａ-ｂ方向）と交差しない位置でキャビネット本体３に（矢印ｃ−ｄ方向に）移動自在に設けられて、シャーシ２内の電子機器に接続されたケーブルＣをまとめて保持するケーブルクランプ１０が具備される。これにより、キャビネト本体３に対してケーブルクランプ１０を相対移動させることで、シャーシ２に接続されたケーブルＣに余長部分が発生しないように調整することができる。その結果、該ケーブルＣが他のシャーシ２の引き出しの障害となることを防止でき、機器のメンテナンス作業を効率的に行うことが可能となり、さらにはキャビネット本体３に対するシャーシ２の収容効率を高めることが可能となる。
【００１６】
また、本実施形態に示される電子機器収容キャビネット１では、キャビネット本体３からシャーシ２を引き出す場合、該シャーシ２にケーブルクランプ１０を近接させることで、該シャーシ２に接続されたケーブルＣを弛ませる（余長ＣＡを発生させる）ことができ、該シャーシ２の引き出しを支障なく行うことができる。すなわち、この電子機器収容キャビネット１では、キャビネト本体３に対してケーブルクランプ１０を自在に移動させることにより、該ケーブルクランプ１０に把持されたケーブルＣが接続されたシャーシ２、又は他のシャーシ２の引き出しを支障なく行うことが可能となる。
【００１７】
なお、上記実施形態では、キャビネット本体３内に複数のシャーシ２を上下に重なるように収容したが、これに限定されず、キャビネット本体３内に複数のシャーシ２を水平方向に並べて配置しても良い。この場合、ケーブルクランプ１０をスライド自在に支持する支持レール１１も水平方向に配置する。また、本実施形態では、ケーブルクランプ１０をスライド自在に支持する支持レール１１を垂直方向（矢印ｃ−ｄ方向）に配置したが、該支持レール１１の配置方向は、垂直方向に限定されず、例えば若干の傾斜を有していても良い。
【００１８】
［実施形態２］
本発明の第２実施形態について、図５を参照して説明する。
第１実施形態では、ケーブルクランプ１０の凹状部１０Ａが、支持レール１１の凸状部１１Ａに一定の摩擦で摺動自在に嵌合されることよって、該ケーブルクランプ１０を支持レール１１に対してスライド自在かつ所定の高さ位置で保持するようにした。
しかし、第２実施形態では、ケーブルクランプ１０の凹状部１０Ａと、支持レール１１の凸状部１１Ａとの間に若干の間隙を設け、これら凹状部１０Ａと凸状部１１Ａとに摩擦を生じさせず自由な状態で移動できるようにする。さらに、この状態で、該ケーブルクランプ１０とキャビネット本体３との間に引張ばね２０を設け、該引張ばね２０によって、ケーブルクランプ１０をシャーシ２から離れる方向（矢印ｃ方向）に付勢するようにしている。
そして、このような引張ばね２０の配置によって、シャーシ２に接続されたケーブルＣに余長部分が発生しないように常時、一定の張力を付与することが可能となる。
【００１９】
また、支持レール１１の近傍にはプーリー２１が設置されている。このプーリー２１は水平軸を中心として回転自在となるようにシャーシ２に支持されるものであって、ケーブルＣが支持レール１１に沿うように位置決めするために設けられている。
【００２０】
以上詳細に説明したように第２実施形態に示される電子機器収容キャビネット１では、ケーブルクランプ１０が引張ばね２０によってシャーシ２から離れる方向に付勢されているので、該引張ばね２０によって、シャーシ２に接続されたケーブルＣに余長部分が発生しないように常時、一定の張力を付与することも可能となる。
その結果、第２実施形態に示される電子機器収容キャビネット１でも、ケーブルＣが他のシャーシ２の引き出しの障害となることを防止でき、機器のメンテナンス作業を効率的に行うことが可能となり、さらにはキャビネット本体３に対するシャーシ２の収容効率を高めることが可能となる。
【００２１】
また、本実施形態に示される電子機器収容キャビネット１では、キャビネット本体３からシャーシ２を引き出す場合、引張ばね２０の付勢力に対抗して、該シャーシ２に接続されたケーブルＣを下方に引張って弛ませる（余長ＣＡを発生させる）ことができ、該シャーシ２の引き出しを支障なく行うことも可能となる。すなわち、この電子機器収容キャビネット１でも、キャビネト本体３に対してケーブルクランプ１０を自在に移動させることにより、該ケーブルクランプ１０に把持されたケーブルＣが接続されたシャーシ２、又は他のシャーシ２の引き出しを支障なく行うことが可能となる。
【００２２】
［実施形態３］
本発明の第３実施形態について、図６（Ａ）（Ｂ）を参照して説明する。
第１実施形態では、ケーブルクランプ１０を、１組のクランプケーシング１２とクリップ１３とから構成した。しかし、第３実施形態のケーブルクランプ３０では、支持レール１１にスライド自在に設けられる支持ブロック１４と、ケーブルＣを内部に収容するクランプケーシング１２を複数有するクランプ部材３１とから構成し、より多くのケーブルＣをひとまとめに保持できるようにした。
【００２３】
これらクランプ部材３１の各クランプケーシング１２は係止部１２Ｅを介して支持ブロック１４の段部１４Ａに一体に結合され、また、該段部１４Ａから、係止部１２Ｅを外すことでそれぞれが支持ブロック１４から取り外されるようになっている。
【００２４】
以上詳細に説明したように第３実施形態に示される電子機器収容キャビネット１では、複数組のクランプ部材３１によりケーブルクランプ３０が構成されるともに、これらクランプ部材３１が係止部１２Ｅを介して支持ブロック１４に一体化されかつ該係止部１２Ｅを外すことでそれぞれが支持ブロック１４から取り外されるように構成されているので、シャーシ２からのケーブルＣの本数に応じてクランプ部材３１を容易に増減させることも可能となる。
【００２５】
なお、第３実施形態では、クランプケーシング１２のみでケーブルＣを支持するようにしているが、これに限定されず、第１実施形態のように該クランプケーシング１２内にケーブルＣを押えるクリップ１３を設けても良い。
【００２６】
以上のように本発明の電子機器収容キャビネット１について実施形態を示して説明したが、本願発明はこの実施形態に限定されるものではなく、その技術思想を逸脱しない範囲で種々変更して実施することが可能であることは言うまでもない。
【００２７】
上記の実施形態の一部又は全部は以下の付記のようにも記載されるが、以下には限られない。
【００２８】
（付記１）
電子機器が搭載される複数のシャーシを重なった状態で収容するキャビネット本体と、このキャビネット本体に対して前記シャーシを前後方向に引き出し可能に支持するスライドレールと、前記シャーシの引き出し方向と交差しない位置で前記キャビネット本体に移動自在に設けられて、前記シャーシ内の電子機器に接続されたケーブルをまとめて保持するケーブルクランプと、を具備することを特徴とする電子機器収容キャビネット。
【００２９】
（付記２）
前記ケーブルクランプは、前記キャビネット本体の側部に配置された支持レールにより前記ケーブルを上下方向移動自在に支持することを特徴とする付記１に記載の電子機器収容キャビネット。
【００３０】
（付記３）
前記ケーブルクランプは付勢手段によって前記シャーシから離れる方向に付勢されていることを特徴とする付記２に記載の電子機器収容キャビネット。
【００３１】
（付記４）
前記ケーブルクランプは、前記ケーブルを内部に収容するケーシングと、該ケーシング内に設けられて内部に位置する前記ケーブルを保持するクリップと、前記ケーシングに固定されて前記支持レールにスライド自在に設けられる支持ブロックと、を有することを特徴とする付記２又は３のいずれか１項に記載の電子機器収容キャビネット。
【００３２】
（付記５）
前記ケーブルクランプは、前記ケーシングと前記クリップとからなるクランプ部材が複数組設けられ、
これらクランプ部材の各ケーシングは係止部を介して支持ブロックに一体に結合され、かつ該係止部を外すことでそれぞれが該支持ブロックから取り外されることを特徴とする付記４に記載の電子機器収容キャビネット。
【産業上の利用可能性】
【００３３】
本発明は、通信機器などの電子機器を収容するためのシャーシを有する電子機器収容キャビネットに係り、シャーシ内の電子機器に接続されるケーブルの余長部分を効率良くまとめることができる技術に関する。
【符号の説明】
【００３４】
１  電子機器収容キャビネット
２  シャーシ
３  キャビネット本体
４  スライドレール
１０  ケーブルクランプ
１１  支持レール
１２  クランプケーシング（ケーシング）
１３  クリップ
１４  支持ブロック
３０  ケーブルクランプ
３１  クランプ部材
Ｃ  ケーブル
ＣＡ  ケーブルの余長部分
【図１】
2013145804.tif 000003
【図２】
2013145804.tif 000004
【図３】
2013145804.tif 000005
【図４】
2013145804.tif 000006
【図５】
2013145804.tif 000007
【図６】
2013145804.tif 000008